(57)【要約】【課題】  ゴルフプレーヤーがクラブによりボールをインパクトする際の上半身の前傾角度を適正にコントロールし、確実にボールの飛距離を伸ばすことができるように練習することができる姿勢矯正具を提供することにある。【解決手段】    プレーヤーがクラブのスイングの練習を行う場合に装着する姿勢矯正器であって、プレーヤーの腰部に固定しうる装着部と、上記装着部に回動可能に接合され、装着された場合にはプレーヤーの背中に当接しうるように配置され、プレーヤーがゴルフクラブをスイングする際の上半身の前傾角度を規制しうる背中当接部と、上記前傾角度を視認しうる角度指示部とを有する。【選択図】図１
2006068088.tif 000002
【特許請求の範囲】
【請求項１】
プレーヤーがスイング練習を行う場合に装着する姿勢矯正器であって、
プレーヤーの腰部に固定しうる装着部と、上記装着部に対して固定され、装着された場合にはプレーヤーの背中に当接しうるように配置され、プレーヤーがスイングする際の上半身の前傾角度を規制しうる背中当接部と、上記前傾角度を視認しうる角度指示部とを有することを特徴とする姿勢矯正器。
【請求項２】
上記プレーヤーはゴルフプレーヤーであって、プレーヤーの腰部に固定しうる装着部と、上記装着部に対して固定され、装着された場合にはプレーヤーの背中に当接しうるように配置され、プレーヤーがゴルフクラブをスイングする際の上半身の前傾角度を規制しうる背中当接部と、上記前傾角度を視認しうる角度指示部とを有することを特徴とする請求項１記載の姿勢矯正器。
【請求項３】
上記背中当接部は、ゴルフクラブがボールにインパクトした際に、ボールに最も効率よく運動エネルギーを伝達できるようにプレーヤーの上半身の所定の前傾角度を規制できるように構成されていることを特徴とする請求項２記載の姿勢矯正器。
【請求項４】
上記装着部は、プレーヤーの腰部を包持しうる係止片部を有し、上記背中当接部は、上記係止片部に対して略直角に固定されプレーヤーの背中の高さ方向に沿って背中に当接しうる規制片を有し、
上記角度指示部は、上記規制片に幅方向に沿って突出する角度表示片と、上記係止片部の端部に回動可能に固定され、上記角度表示片上に角度を表示しうると共に装着した場合に腰部を通過する垂直軸を形成しうる角度表示バーとを有することを特徴とする請求項１、２又は３記載の姿勢矯正器。
【請求項５】
上記係止片部は左右一対の湾曲した弾性片により形成され、上記規制片はプレーヤーの背中に当接する背中当接面を備え、上記角度表示片は上記規制片の反背中当接面側に設けられた湾曲して形成された円弧状部材からなることを特徴とする請求項４記載の姿勢矯正器。
【請求項６】
上記前傾角度は、腰部を通過する垂直な軸線に対して股関節を中心として３０度〜３５度であることを特徴とする請求項１、２、３、４または５記載の姿勢矯正器。
【発明の詳細な説明】
【技術分野】
【０００１】
本発明は姿勢矯正器に係り、特に、ゴルフプレーヤーがボールをインパクトする際の前傾姿勢を最適にするための姿勢矯正器に関する。
【背景技術】
【０００２】
ゴルフプレーヤーがクラブでボールをインパクトする際に、より正確にボールの飛距離を伸ばすためには、ゴルフクラブの適切なスイングを行う必要がある。この場合、適切なスイングを行うためには、ボールと足との間の距離を最適なものとする必要があると共に、ボールにクラブがインパクトする際の上半身の前傾姿勢を適切なものとする必要があることを、本件特許出願に係る発明の発明者は長年のゴルフコーチの実績の中から確認している。
【０００３】
すなわち、より正確にボールの飛距離を伸ばすためには、腰部の捻り等の身体の横方向における回転および腕およびクラブのスイングの縦方向における回転により発生する運動エネルギーを最も効率よく、ゴルフクラブを介してボールへ伝達する必要がある。
上記発生したエネルギーを最も効率よくクラブからボールに伝達するためには、上記の上半身の前傾角度を一定の角度に設定することが最も重要である。
この場合の最適な前傾角度は、腰部を通過する垂直な軸線に対して、腰部を基点として３０度〜３５度であることを本件出願に係る発明者は長年のゴルフコーチの実績の中で把握している。  
なお、クラブからボールへ運動エネルギーがロスなく伝達されるためには、最終的にはクラブのグリップの位置を微調整し、ヘッドが最適なインパクト面を形成するように固定する必要がある。
【０００４】
しかしながら、上記上半身の前傾角度は、プレーヤーがプレーする場所、プレーヤーの体調、さらには、プレーの開始時か所定時間経過後かの時間的条件等により、不可避的に微妙に異なってしまうことから、適切な前傾角度を常時維持することは、アマチュア、プロを問わずに非常に困難であった。
【０００５】
この点は、例えば、プロのゴルフプレーヤーがトーナメントの後半になりスコアのばらつきが見られるのは、上記前傾姿勢がプレーヤー自身で確認できていないことが原因であることからも判明している。
従って、上記上半身の前傾姿勢を常時一定に保持するためには、練習時に、上記前傾姿勢を一定角度に維持した状態で反復練習する必要があるが、プレーヤー自身が前傾姿勢を一定に保持するために、前傾角度を意識することそのものに関する困難性が存していた。
【０００６】
ところで、従来、特許文献１により、背骨を軸としてボディーを捻転させるスイング方法と上半身の最適な角度を体得するためのゴルフスイング軸養成具が公開されている。
【特許文献１】特開平７−２８４５４８号公報1
【０００７】
上記ゴルフスイング軸養成具は、プレーヤーの腰部に取り付けられる腰部ベルトと、該プレーヤーの背骨に沿って配設されると共に前記腰部ベルトと直交する平面内を回動可能に該腰部ベルトに取り付けられる接触ベルトと、該プレーヤーの背骨と腰部の角度を最適に維持するために前記接触部材と腰部ベルトとの角度を調整する角度調整手段とから構成されている。
【０００８】
そして、上記ゴルフスイング軸養成具は、角度調整手段により腰部ベルトと接触部材の角度を調整し、接触部材が背中に接触する感覚によって背骨と腰部の角度が理想的であるか否か、を感取するものである
すなわち、上記ゴルフスイング軸要請具にあっては、明細書中段落番号「００２２」の記載にあるように、体に装着した後、プレーヤーはアドレスあるいはボールをインパクトする状態である腰部に対して最も上半身を屈めた位置であって、より理想的な姿勢で上半身を停止させ、接触部材のほぼ全体が背中にわずかに接触する程度にナットの締め付け力を調整した後、ナットを固定し、これによりプレーヤーはアドレスの時に背骨と腰部の角度を常に最適に維持することができるように構成されている。
【０００９】
しかしながら、このような従来のゴルフスイング軸養成具にあっては、腰部に対して最も上半身を屈めた位置に上半身を屈曲し、この状態でのスイングを練習できるように構成されているのみであり、上述のように、身体の横方向および縦方向のねじりにより発生するエネルギーを最も効率よくボールにする伝達するための前傾角度である、股関節を中心とした３０度〜３５度の角度を考慮し、その前傾角度を維持できるように練習する観点から作成されているものではない。
【００１０】
従って、このような従来のゴルフスイング軸要請具を使用して練習した場合であっても、ボールの飛距離を伸ばすことはできない、という問題点が存していた。
また、練習時に身体に装着して角度調整手段により角度を調整した後にあっては、プレイヤーはスイングしないときでも常に前傾姿勢を維持しなければならず、上半身を伸ばすことができないので非常に窮屈に感じ、装着感が良好ではない、という不具合が存していた。
【発明の開示】
【発明が解決しようとする課題】
【００１１】
本発明の課題は、ゴルフプレーヤーがクラブによりボールをインパクトする際の上半身の前傾角度を適正にコントロールし、より正確にボールの飛距離を伸ばすことができるように練習することができる姿勢矯正具を提供することにある。
【課題を解決するための手段】
【００１２】
上記課題を解決するために、請求項１記載の本発明に係る姿勢矯正器は、プレーヤーがスイングの練習を行う場合に装着する姿勢矯正器であって、プレーヤーの腰部に固定しうる装着部と、上記装着部に対して固定され、装着された場合にはプレーヤーの背中に当接しうるように配置され、プレーヤーがスイングする際の上半身の前傾角度を規制しうる背中当接部と、上記前傾角度を視認しうる角度指示部とを有することを特徴とするものである。
また、請求項２記載の本発明に係る姿勢矯正器は、プレーヤーがゴルフクラブのスイングの練習を行う場合に装着する姿勢矯正器であって、プレーヤーの腰部に固定しうる装着部と、上記装着部に対して固定され、装着された場合にはプレーヤーの背中に当接しうるように配置され、プレーヤーがゴルフクラブをスイングする際の上半身の前傾角度を規制しうる背中当接部と、上記前傾角度を視認しうる角度指示部とを有することを特徴とするものである。
【００１３】
即ち、本発明に係る姿勢矯正器は、上記装着部を用いてプレーヤーの腰部に固定され、上記背中当接部がプレーヤーの背中に当接してプレーヤーがゴルフクラブをスイングする際の上半身の前傾角度を正確な数値で視認できる状態で規制しうるように構成されている。
【００１４】
また、請求項３記載の本発明に係る姿勢矯正器にあっては、ゴルフクラブがボールにインパクトした際に、ボールに最も効率よく運動エネルギーを伝達できるようにプレーヤーの上半身の所定の前傾角度を規制できるように構成されていることを特徴とする。
【００１５】
即ち、本発明に係る姿勢矯正器は、上記背中当接部が、プレーヤーの上半身の前傾角度を、ゴルフクラブがボールにインパクトした際にボールに最も効率よく運動エネルギーを伝達できるように規制する。
従って、請求項２記載の姿勢矯正器を使用して練習することにより、プレーヤーは、上半身の最適な前傾角度を維持した状態で反復してスイングの練習を行うことにより、最も効率よくエネルギーを伝達しうる上半身の前傾角度を習得することができる。
【００１６】
また、請求項４記載の本発明に係る姿勢矯正器にあっては、上記装着部は、プレーヤーの腰部を包持しうる係止片部を有し、上記背中当接部は上記係止片部に対して略直角に固定されプレーヤーの背中の高さ方向に沿って背中に当接しうる規制片を有し、上記角度指示部は、上記規制片に幅方向に沿って突出する角度表示片と、上記係止片部の端部に回動可能に固定され、上記角度表示片上に角度を表示しうる角度表示バーとを有することを特徴とする。
【００１７】
即ち、本発明に係る姿勢矯正器は、上記装着部の係止片部がプレーヤーの腰部を包持することにより装着され、上記背中当接部の規制片がプレーヤーの背中の高さ方向に沿って背中に当接されることによりプレーヤーの上半身の最適な前傾角度を規制する。
この場合、上記係止片部に対して規制片は略直角に固定されていることから、上記規制片は背中の面に沿った状態で、全体が背中に当接する。また、上記角度指示部は、上記角度表示片上で上記角度表示バーがプレーヤーの上半身の最適な前傾角度を表示するように構成されている。
【００１８】
また、請求項５記載の本発明に係る姿勢矯正器は、上記係止片部は左右一対の湾曲した弾性片により形成され、上記規制片はプレーヤーの背中に当接する背中当接面を備え、上記角度表示片は上記規制片の反背中当接面側に設けられた湾曲して形成された円弧状部材からなることを特徴とする。
【００１９】
即ち、本発明に係る姿勢矯正器は、上記装着部の係止片部が左右一対の湾曲した弾性片により形成されている。これにより、上記装着部は左右一対の上記弾性片で腰部の外側面部を挟持することによりプレーヤーは確実に装着することができる。
また、上記背中当接部の規制片にはプレーヤーの背中に当接する背中当接面が片面に形成されているが、反対側の片面には湾曲した円弧状部材が設けられ、この円弧状部材が上記角度指示部における上記角度表示片として形成されている。
【００２０】
また、請求項６記載の本発明に係る姿勢矯正器は、上記前傾角度は腰部を通過する垂直な軸線に対して股関節を中心として３０度〜３５度であることを特徴とする。
従って、請求項６記載の発明にあっては、本発明に係る姿勢矯正器を装着したプレーヤーは、腰部を通過する垂直な軸線に対して上半身が股関節を中心として３０度〜３５度傾斜するように規制されることから、スイング時の身体の運動エネルギーを効率よくクラブに伝達することができるような姿勢を保持してスイングの練習を行うことができる。
即ち、スイング練習の際に、両足の上に腰を落とし、腰部を通過する垂直な軸線に対して上半身を股関節を中心として３０〜３５度前傾させた場合には、肩甲骨と膝頭と足の親指の裏側を結ぶ直線が形成され、この状態においてスイングした場合には、バックスイング時における体の捻りにより生まれる運動エネルギーをボールに最も効率よく伝達できる姿勢が確保されることになる。
【００２１】
また、３０度〜３５度の間であれば、効果に影響のない範囲でプレーヤーの体格に応じて適宜、前傾角度を調整することができる。
【発明の効果】
【００２２】
請求項１記載の本発明に係る姿勢矯正器にあっては、プレーヤーが、上記角度指示部により最適な前傾角度を設定した状態で装着してスイングの練習を行うことができることから、装着した状態で繰り返しスイングの練習を反復して行うことにより、より正確にゴルフボールの飛距離を伸ばすために必要な上体の前傾角度を確実に身につけることができる。
従って、請求項１記載の発明にあっては、ゴルフクラブのスイングのみならず、テニスラケットのスイング、さらに、野球のバットのスイング、ホッケーのクラブのスイングにも適用することができる。
また、上記背中当接部によりプレーヤーの上半身は完全に拘束されるものではなく、装着状態においても上半身は必要により起こすこともできるため、従来のように装着により完全に拘束されて姿勢が苦しくなる、といった弊害がない。
【００２３】
請求項２記載の本発明に係る姿勢矯正器にあっては、ゴルフプレーヤーが、上記角度指示部により最適な前傾角度を設定した状態で装着してゴルフスイングの練習を行うことができることから、装着した状態で繰り返しゴルフクラブのスイングの練習を反復して行うことにより、より正確にゴルフボールの飛距離を伸ばすために必要な上体の前傾角度を確実に身につけることができる。
また、上記背中当接部によりプレーヤーの上半身は完全に拘束されるものではなく、装着状態においても上半身は必要により起こすこともできるため、従来のように装着により完全に拘束されて姿勢が苦しくなる、といった弊害がない。
【００２４】
また、請求項３記載の本発明に係る姿勢矯正器にあっては、上記背中当接部は、より正確にゴルフボールの飛距離を伸ばすために要求されるプレーヤーの上半身の所定の前傾角度を規制しうるように構成されていることから、プレーヤーはより正確にボールの飛距離を伸ばすために要求される所定の角度だけ上半身を前傾させた姿勢でスイングすることができる。
従って、プレーヤーは上記姿勢矯正器を装着して反復練習した場合には、身体が上記前傾姿勢になじみ、上記姿勢矯正装置を装着しない場合にあっても、上記の前傾角度でスイングすることができるようになり、自然かつ容易であって、より正確にボールの飛距離を伸ばすことができる。
【００２５】
また、請求項４記載の本発明に係る姿勢矯正器にあっては、プレーヤーが装着してクラブのスイングを行う場合に、上記角度表示バーを回動させ、ボールに運動エネルギーを効果的に伝達できる前傾姿勢の角度位置に上記角度表示バーを調整し、上記角度指示バーで当該角度を確認して身体に装着し、上記角度指示バーが腰部を通過する垂直軸を形成しうるように上半身の姿勢を制御してスイングの練習姿勢を決める。
この状態で、上記角度指示バーが垂直軸から離間しないように留意しながら反復してスイングの練習を行うことにより、上半身の最適な前傾角度を身体に容易に覚えこませることが可能となる。
【００２６】
また、請求項５記載の本発明に係る姿勢矯正器にあっては、上記係止片部は左右一対の湾曲した弾性片により形成されていることから、プレーヤーは容易かつ迅速に本発明に係る姿勢矯正器を装着し、または身体から外すことができる。
また、請求項６記載の本発明に係る姿勢矯正器において、前傾角度を股関節を中心として３０度〜３５度においてプレーヤー個人の体格に応じて適宜設定した場合には、身体の運動エネルギーをロスなくクラブからボールに伝達できるような姿勢を形成できる。
従って、請求項６記載の発明にあっては、反復練習により本発明にかかる姿勢矯正器を使用することなく、最も効率よく身体の運動エネルギーをボールに伝達できる前傾姿勢をを容易かつ確実に習得することができる。
【発明を実施するための最良の形態】
【００２７】
以下、図面に基づき本発明の実施の形態について説明する。
本実施形態に係る姿勢矯正器１１は、図１及び図２に示すように、プレーヤーがゴルフクラブのスイングを行う場合に装着する姿勢矯正器であって、プレーヤーの腰部に固定しうる装着部１２と、上記装着部１２に回動可能に接合され、装着された場合にはプレーヤーの背中に当接しうるように配置され、プレーヤーがゴルフクラブをスイングする際の上半身の前傾角度を規制しうる背中当接部１３と、上記前傾角度を視認しうる角度指示部１４とを有して構成されている。
【００２８】
また、上記背中当接部１３は、図２に示すように、ゴルフクラブがボールにインパクトした際に、ボールに最も効率よく運動エネルギーを伝達できるようにプレーヤーの上半身の所定の前傾角度を規制できるように構成されている。
また、上記装着部１２は、図1及び図２に示すように、プレーヤーの腰部を包持しうる一対の係止片部１５を有し、上記背中当接部１３は、上記係止片部１５に対して略直角に固定されプレーヤーの背中の高さ方向に沿って背中に当接しうる規制片１６を有し、上記角度指示部１４は、上記規制片１６に幅方向に沿って突出する角度表示片１７と、上記係止片部１５の端部に回動可能に固定され、上記角度表示片１７上に角度を表示しうる角度表示バー１８とを有している。
【００２９】
また、上記係止片部１５は、図1及び図２に示すように、左右一対の湾曲した弾性片１９，１９により形成され、上記規制片１６はプレーヤーの背中に当接する背中当接面２０を備え、上記角度表示片１７は上記規制片１６の反背中当接面２１側に設けられた湾曲して形成された円弧状部材２２からなり、上記角度表示バー１８は、上記円弧状部材２２側面上において上記傾斜角度を表示しうるように形成されている。
また、上記角度表示片１７には、図１に示すように、長さ方向に沿って円弧状のスリット２３が形成されている。
【実施例１】
【００３０】
図示した本実施例に係る姿勢矯正器１１は、図２に示すように、ゴルフのプレーヤーがスイングする際に身体に装着して、プレーヤーの上半身の前傾角度が適正か否かを確認し、適正でない場合は、即時に矯正できるように構成されている。
【００３１】
プレーヤーの上半身の最適な前傾角度は、腰部を含む垂直軸に対して股関節を中心として３０度〜３５度の傾斜であることが本件特許出願にかかる発明者の経験から把握されている。
すなわち、上半身が腰部を始点として腰部を含む垂直軸から股関節を中心として３０度〜３５度前傾した場合には、プレーヤーがスイングした場合に、上半身、肩の回転、足および腰部の横方向の運動エネルギーおよび腕の縦方向の運動エネルギーをロスすることなく最も効率良くボールに伝達でき、ボールの飛距離を伸ばすことができる。
より正確に詳述すれば、アドレス時に、バランスよく両足の上に腰を屈曲して落とし、股関節上において腰部を通過する垂直な軸線に対して上半身を３０〜３５度前傾させた場合には、結果として、肩甲骨と膝頭と足の親指の裏側を結ぶ直線が形成される。
この状態においてスイングした場合には、バックスイング時における体の捻りにより生まれる旋回軸が堅持され、運動エネルギーをボールに最も効率よく伝達できる姿勢が確保されることが判明している。
従って、上体を正確に３０〜３５度前傾させることが効率的なスイングには不可欠な要素となる。本実施例に係る姿勢矯正器１１はこの前傾角度を容易に習得できるようにするためのものである。
【００３２】
これに対し、上記前傾角度が上記角度より小さい場合は上半身が立ち過ぎることとなり、その結果として、このような状態でボールを打った場合にはスライスとなり、一方、上記前傾角度が上記角度より大きい場合は上半身が屈み過ぎこのような状態でボールを打った場合にはフックとなる。
従って、いずれの場合も上半身の捻転時の運動エネルギーを効率良くボールに伝達することができず、ヒットしたボールが左右にブレたり、飛距離が伸びないという結果となることが過去の研究より判明している。
【００３３】
本実施例において、上記姿勢矯正器１１は、図１に示すように、上記装着部１２と、上記背中当接部１３と、上記角度指示部１４とを有して構成されている。
【００３４】
上記装着部１２は、図２に示すように、プレーヤーの腰部に固定しうるように構成されている。即ち、上記装着部１２は、図1及び  図２に示すように、プレーヤーの腰部を包持しうる係止片部１５を有している。
【００３５】
そして、上記係止片部１５は、図1及び図２に示すように、合成樹脂製の左右一対の湾曲した弾性片１９により形成されている。
【００３６】
上記左右一対の弾性片１９は、図１に示すように、平面形状が略円形となるように左右対称に配置され、弾性変形によりその内径を拡大しうるように形成されている。
【００３７】
また、図１に示すように、上記弾性片１９の前端部は、腰部に装着しやすいようにそれぞれ外方へ折曲され、上記係止片部１５，１５の間には身体を挿通させうる開放部２５が設けられている。
【００３８】
また、図１に示すように、上記弾性片１９は後端部に後方へ突出する連結片部２６が設けられて、その連結片部２６に上記背中当接部１３と上記角度指示部１４とが連結されている。
【００３９】
上記背中当接部１３は、図１に示すように、合成樹脂により縦長板状に形成され、その下端部が上記装着部１２における上記連結片部２６の間に挟着され、接合部材３２により上記装着部１２に回動可能に接合されている。
【００４０】
上記背中当接部１３は、図２に示すように、より正確にゴルフボールの飛距離を伸ばすために、ゴルフクラブがボールにインパクトした際に、ボールに最も効率よく運動エネルギーを伝達できるようにプレーヤーの上半身の所定の前傾角度を規制できるように構成されている。
【００４１】
即ち、上記背中当接部１３は、図１に示すように、装着された状態で、プレーヤーの背中の高さ方向に沿って背中に当接しうる規制片１６により構成され、上記規制片１６はプレーヤーの背中に当接する背中当接面２０を備えている。
【００４２】
また、上記角度指示部１４は、上記背中当接部１３の前傾角度を視認しうるように構成されている。
【００４３】
上記角度指示部１４は、図１に示すように、上記規制片１６から反平面方向に突設された角度表示片１７と、角度表示バー１８とにより構成されている。上記角度表示片１７は下方へ緩やかに湾曲した円弧状部材２２からなる。
【００４４】
また、上記角度表示片１７には、図１に示すように、長さ方向に沿って円弧状のスリット２３が形成されている。
【００４５】
また、上記角度表示片１７の側面には、図１に示すように、上記スリット２３に沿って上記背中当接面２０の前傾角度を表示する目盛２７が刻設されている。
【００４６】
この目盛２７は上記角度表示片１７の長さ方向の先端部を除く略全域に亘って付されており、上記規制片１６から最も外方の目盛りの間の角度は、より正確にゴルフボールの飛距離を伸ばすために、ゴルフクラブがボールにインパクトした際に、ボールに最も効率よく運動エネルギーを伝達できる上記前傾角度の範囲として想定される３０度〜３５度に設定されている。
【００４７】
また、上記角度表示バー１８は、上記円弧状部材２２側面をスライドして上記角度を表示しうるように形成されている。
【００４８】
上記角度表示バー１８は、図１に示すように、合成樹脂により2つ折りの板状に形成され、先端部に折返部２８を有して互いに重なり合う２枚の板部２９と板部３０を有している。
【００４９】
そして、上記板部２９と板部３０の間には、上記円弧状部材２２の板厚寸法より僅かに大きい間隙３１が形成されている。
【００５０】
上記角度表示バー１８は、図１に示すように、上記板部２９と板部３０の基端部が上記装着部１２における上記連結片部２６の外側に重ね合わされ、接合部材３２により上記連結片部２６に対して回動可能に固定されている。
【００５１】
上記接合部材３２としてはスクリュー３３が用いられ、上記角度表示バー１８を上記装着部１２に対し回動可能に上記背中当接部１３に対し固定することができる。
【００５２】
また、上記角度表示バー１８の先端部は、図１に示すように、上記折返部２８が上記円弧状部材２２の外側に被せられるように配置され、上記円弧状部材２２の長さ方向へスライド可能にスクリュー３４からなる接合部材２４により固定されている。
【００５３】
上記接合部材２４は上記円弧状部材２２における上記スリット２３を貫通して、そのスリット２３の長さ方向へ沿って移動自在に取り付けられている。
【００５４】
従って、上記角度表示バー１８を上記角度表示片１７の任意の位置に固定することができると共に、上記規制片１６を接合部材３２を介して上記板部２９および板部３０に対しスライドさせることができる。
また、上記角度表示バー１８の幅方向中央部には長さ方向に沿って、使用者が角度表示バー１８の起立状態を視認しやすいように、赤色の表示線３５が付されている。
【００５５】
本実施例に係る姿勢矯正器１１の使用方法は以下の通りである。
まず、プレーヤーの最適な前傾角度を決定する。この前傾角度は、上記のように股関節を中心として３０度〜３５度の間で、プレーヤーがスムースに腰を中心として捻転しうる上半身の前傾角度を選択する。
【００５６】
その後、上記角度表示バー１８を、上記前傾角度として、例えば３０度を選択する場合には、３０度を示す目盛２７の位置まで移動させ、上記角度表示バー１８の両端の上記締付ネジ３３，３４を締め付けて上記角度表示バー１８を固定する。
【００５７】
次に、図２に示すように、上記角度表示バー１８を３０度の前傾角度を示す位置で固定した状態で、上記装着部１２を、上記係止片部１５で腰部の外周を挟んで、姿勢矯正具１１を身体に装着する。
【００５８】
この場合、上記係止片部１５，１５の開放部２５を身体側方から進入させ、略９０度回転させて背中側に固定する。従って、身体への装着にあたっては、体型に関わらず容易に身体への装着を行うことができる。
【００５９】
アドレスに際しては、図２に示すように、上記角度表示バー１８が腰部を通過する垂直な軸線Ｘの一部を形成するように姿勢を制御する。これにより上記背中当接部１３は上記軸線Ｘに対して３０度前傾することとなり、上半身はこれに従って３０度前傾させることができる。
【００６０】
この場合、プレーヤーの前傾角度が最適か否か、は、上記角度表示バー１８の起立角度により視認でき、この場合、上記角度表示バー１８に付された赤色の表示線３５により視認することができる。
即ち、上記角度表示バー１８が略垂直であればプレーヤーの前傾角度は最適であり、上記角度表示バー１８が前傾していればプレーヤーは前屈みになり過ぎており、上記角度表示バー１８が後傾していればプレーヤーの姿勢は立ち過ぎていることが判り、即座に姿勢を矯正することができる。
この視認にあたっては、上記角度表示バー１８には長さ方向に沿って赤色の表示線３５が付されていることから、プレーヤーは、上記表示線３５を目視することにより容易に角度表示バー１８の起立角度を把握することができる。
【００６１】
このようにして、アドレスの際に、両足の上に腰を屈曲して落とし、腰部を通過する垂直な軸線に対して上半身を股関節を中心として３０〜３５度前傾させた場合には、結果として、肩甲骨と膝頭と足の親指の裏側を結ぶ直線が形成され、この状態においてスイングした場合には、バックスイング時における体の捻りにより生まれる運動エネルギーをボールに最も効率よく伝達できる姿勢が確保されることになる。
【産業上の利用可能性】
【００６２】
本発明は、ゴルフプレーヤーがスイングする際の前傾姿勢を矯正するための装置に適用可能である。
【図面の簡単な説明】
【００６３】
【図１】本発明に係る姿勢矯正具を示す一実施の形態に係る斜視図である。
【図２】本発明に係る姿勢矯正具の使用状態を示す側面図である。
【符号の説明】
【００６４】
１１  姿勢矯正器
１２  装着部
１３  背中当接部
１４  角度指示部
１５  係止片部
１６  規制片
１７  角度表示片
１８  角度表示バー
１９  弾性片
２０  背中当接面
２１  反背中当接面
２２  円弧状部材
２３  スリット
２４  接合部材
２５  開放部
２６  連結片部
２７  目盛
２８  折返部
２９  表板部
３０  裏板部
３１  間隙
３２  接合部材
３３  締付ネジ
３４  締付ネジ
３５  表示線
【図１】
2006068088.tif 000003
【図２】
2006068088.tif 000004